(57)【要約】      （修正有）【課題】ユーザの拍手の動作を光で表現可能な発光装置を簡易な構造で提供する。【解決手段】発光装置は、圧電素子１０と、圧電素子を電源として発光する発光モジュール２０と、圧電素子と発光モジュールとを繋ぐ導電線３０と、これらが配置される本体部４０と、を備える。本体部は、挿入孔４１にユーザの手指が挿入された状態において、第１端部４０ａがユーザの手の甲側に位置し、第２端部４０ｂがユーザの手の平側に位置するように構成され、発光モジュールが、本体部の長手方向において挿入孔よりも第１端部の側に配置され、圧電素子が、本体部の長手方向において挿入孔よりも第２端部の側に配置される。【選択図】図１
0003230818.tif 000002
【実用新案登録請求の範囲】
【請求項１】
歪みが加えられると電圧を発生する圧電素子と、
前記圧電素子を電源として発光する発光モジュールと、
前記圧電素子と前記発光モジュールとを繋ぐ導電線と、
前記圧電素子と前記発光モジュールと前記導電線とが配置される本体部であって、手指を挿入可能に構成された挿入孔を有する本体部と、を備え、
前記本体部において、その長手方向の一方の端部を第１端部とし、他方の端部を第２端部としたとき、
前記本体部は、前記挿入孔にユーザの手指が挿入された状態において、前記第１端部が該ユーザの手の甲側に位置し、前記第２端部が該ユーザの手の平側に位置するように構成され、
前記発光モジュールが、前記本体部の長手方向において前記挿入孔よりも前記第１端部の側に配置され、
前記圧電素子が、前記本体部の長手方向において前記挿入孔よりも前記第２端部の側に配置される、
発光装置。
【請求項２】
前記圧電素子と前記発光モジュールと前記導電線とが配置された前記本体部が、熱可塑性樹脂に封止される、
請求項１に記載の発光装置。
【請求項３】
前記本体部は、前記挿入孔付近が該本体部に配置された前記圧電素子に対して所定の角度を有して折り返されるように誘導するための折り目線を有する一枚の紙シートによって形成される、
請求項１に記載の発光装置。
【考案の詳細な説明】
【技術分野】
【０００１】
本考案は、外部圧力により発光する発光装置に関する。
【背景技術】
【０００２】
スポーツ競技やコンサート等の観戦、観覧において、観客は、声や拍手によって自身の感情を表現することで応援することが多い。そして、このような感情表現を通して、応援に一体感が生まれ得る。
【０００３】
また、ユーザ体験を得る目的で各種のワークショップが開催されている。例えば、子供向け工作のワークショップでは、参加した子供たちに、ものを作る楽しさを伝えることができる。
【０００４】
そして、特許文献１には、掌部分に装着され、手の動作に応答して発光する発光玩具が開示されている。当該技術によれば、外部から加えられた圧力によって自身の回路インピーダンスが変化する感圧素子によって、電源部から発光体へ供給される電力が調整されることで、発光体の発光状態が調整されることになる。
【先行技術文献】
【特許文献】
【０００５】
【特許文献１】特開２０１０−１０４４１４号公報
【考案の概要】
【考案が解決しようとする課題】
【０００６】
従来からの、声や拍手によって自身の感情を表現する応援においても、ある程度の応援の一体感を作り出すことはできるものの、これらの表現は聴覚によって認識されるものであって、感情表現の更なる方法が望まれていた。
【０００７】
一方、特許文献１に記載の技術は、ユーザの拍手の動作を光で表現できる、つまり、ユーザの感情を視覚によって認識され得るものとする技術である。しかしながら、当該技術は、電源部と、圧力検出モジュールと、発光体ユニットと、圧力検出モジュールと発光体ユニットとを掌に一体に装着するためのベルト部分と、を備えるものであって、構造が比較的複雑である。そして、このように構造が複雑であると、ワークショップ等でユーザにものづくり体験を提供することが困難となる。
【０００８】
本開示の目的は、ユーザの拍手の動作を光で表現可能な発光装置を簡易な構造で提供することにある。
【課題を解決するための手段】
【０００９】
本開示の発光装置は、歪みが加えられると電圧を発生する圧電素子と、前記圧電素子を電源として発光する発光モジュールと、前記圧電素子と前記発光モジュールとを繋ぐ導電線と、前記圧電素子と前記発光モジュールと前記導電線とが配置される本体部であって、手指を挿入可能に構成された挿入孔を有する本体部と、を備える。そして、この発光装置では、前記本体部において、その長手方向の一方の端部を第１端部とし、他方の端部を第２端部としたとき、前記本体部は、前記挿入孔にユーザの手指が挿入された状態において、前記第１端部が該ユーザの手の甲側に位置し、前記第２端部が該ユーザの手の平側に位置するように構成され、前記発光モジュールが、前記本体部の長手方向において前記挿入孔よりも前記第１端部の側に配置され、前記圧電素子が、前記本体部の長手方向において前記挿入孔よりも前記第２端部の側に配置される。
【００１０】
上記の構成によると、本体部の挿入孔にユーザの手指が挿入された状態において、発光モジュールが該ユーザの手の甲側に位置し、圧電素子が該ユーザの手の平側に位置することになる。これによれば、ユーザの拍手の動作において、該ユーザが両手の掌を叩くと圧電素子に圧力が加えられることになる。また、発光モジュールは、ユーザの手の甲側に位置するため、ユーザの両手の掌が合わせられた状態においても、発光モジュールが視認可能となる。そして、このような配置構造によれば、簡易な構造ながら効果的にユーザの拍手の動作を光で表現可能にすることができる。
【００１１】
なお、本開示の発光装置では、上記の構成において、前記圧電素子と前記発光モジュールと前記導電線とが配置された前記本体部が、熱可塑性樹脂に封止されてもよい。
【００１２】
また、本開示の発光装置では、上記の構成において、前記本体部は、前記挿入孔付近が該本体部に配置された前記圧電素子に対して所定の角度を有して折り返されるように誘導するための折り目線を有する一枚の紙シートによって形成されてもよい。
【考案の効果】
【００１３】
本開示によれば、ユーザの拍手の動作を光で表現可能な発光装置を簡易な構造で提供することができる。
【図面の簡単な説明】
【００１４】
【図１】第１実施形態における発光装置の概略構成を示す図である。
【図２】本体部への圧電素子、発光モジュール、および導電線の配置手順を説明するための図である。
【図３】熱可塑性樹脂によってパッケージ化された発光装置を、その使用態様とともに併せて示す図である。
【図４】第２実施形態における発光装置の概略構成を示す図である。
【考案を実施するための形態】
【００１５】
以下、図面に基づいて、本開示の実施の形態を説明する。以下の実施形態の構成は例示であり、本開示は実施形態の構成に限定されない。
【００１６】
＜第１実施形態＞
第１実施形態における発光装置の概要について、図１を参照しながら説明する。図１は、本実施形態における発光装置の概略構成を示す図である。なお、本実施形態の発光装置は、ユーザの拍手の動作を光で表現可能とするものである。そして、本実施形態に係る発光装置１００は、歪みが加えられると電圧を発生する圧電素子１０と、圧電素子１０を電源として発光する発光モジュール２０と、圧電素子１０と発光モジュール２０とを繋ぐ導電線３０と、圧電素子１０と発光モジュール２０と導電線３０とが配置される本体部４０と、を備える。
【００１７】
圧電素子１０は、歪みが加えられると電気分極が誘起されて電圧を発生する（圧電効果を発現する）素子であって、圧電体を２枚の電極で挟持することで構成される。ここで、圧電体には、例えば、鉛（Ｐｂ）、チタン（Ｔｉ）、およびジルコニウム（Ｚｒ）を含むペロブスカイト構造のチタン酸ジルコン酸鉛が用いられる。本実施形態では、このような周知の圧電素子を用いることができ、圧電素子の材質、形態、種類などは適宜選択され得る。
【００１８】
発光モジュール２０は、光源としてＬＥＤを有する。ＬＥＤは、小電力でも点灯可能なため、圧電素子１０を電源として用いた場合に、該圧電素子１０が発生する電気エネルギを効率良く光に変換することができる。
【００１９】
導電線３０は、銅やアルミニウム等からなる電線であって、プラス（＋）配線とマイナス（−）配線とを有する。本実施形態では、圧電素子１０において圧電体を挟持する上部電極にプラス（＋）配線が繋がれ、下部電極にマイナス（−）配線が繋がれる。そして、プラス（＋）配線は、更に発光モジュール２０のＬＥＤのアノードに繋がれ、マイナス（−）配線は、更に発光モジュール２０のＬＥＤのカソードに繋がれる。そうすると、導電線３０によって、圧電素子１０と発光モジュール２０とが繋がれ、発光モジュール２０が圧電素子１０を電源として発光することになる。
【００２０】
そして、図１に示すように、圧電素子１０と発光モジュール２０と導電線３０とが、本体部４０に配置される。また、この本体部４０には、手指を挿入可能に構成された挿入孔４１が形成される。
【００２１】
ここで、本体部４０において、その長手方向の一方の端部を第１端部４０ａとし、他方の端部を第２端部４０ｂとしたとき、本体部４０は、挿入孔４１にユーザの手指が挿入された状態において、第１端部４０ａが該ユーザの手の甲側に位置し、第２端部４０ｂが該ユーザの手の平側に位置するように構成される。そして、発光モジュール２０が、本体部４０の長手方向において挿入孔４１よりも第１端部４０ａの側に配置され、圧電素子１０が、本体部４０の長手方向において挿入孔４１よりも第２端部４０ｂの側に配置される。そうすると、挿入孔４１にユーザの手指が挿入された状態において、発光モジュール２０が該ユーザの手の甲側に位置し、圧電素子１０が該ユーザの手の平側に位置することになる。これによれば、ユーザの拍手の動作において、該ユーザが両手の掌を叩くと圧電素子１０に圧力が加えられることになる。また、発光モジュール２０は、ユーザの手の甲側に位置するため、ユーザの両手の掌が合わせられた状態においても、発光モジュール２０が視認可能となる。
【００２２】
次に、本体部４０への圧電素子１０、発光モジュール２０、および導電線３０の配置手順について、図２に基づいて説明する。本実施形態の発光装置１００では、図２（ａ）に示すように、先ず、本体部４０に導電線３０が配置される。ここで、本体部４０の長手方向において挿入孔４１よりも第１端部４０ａの側に配置される発光モジュール２０の電極の位置と、本体部４０の長手方向において挿入孔４１よりも第２端部４０ｂの側に配置される圧電素子１０の電極の位置は予め定められる。そのため、これらの位置と対応させて導電線３０を配置することができる。
【００２３】
そして、図２（ｂ）に示すように、導電線３０が配置された本体部４０に、更に発光モジュール２０と圧電素子１０とが配置される。以上に述べた位置関係でこれら部品が配置されることで、本体部４０に圧電素子１０、発光モジュール２０、および導電線３０が一体化された発光装置１００を、簡易な構造で実現することができる。
【００２４】
ここで、本実施形態に係る発光装置１００では、圧電素子１０と発光モジュール２０と導電線３０とが配置された本体部４０が、熱可塑性樹脂に封止される。図３は、熱可塑性樹脂によってパッケージ化された発光装置１００を、その使用態様とともに併せて示す図である。
【００２５】
図３（ａ）には、熱可塑性樹脂によってパッケージ化された発光装置１００が表される。本実施形態では、図３（ａ）に示すように、圧電素子１０、発光モジュール２０、および導電線３０が一体化された本体部４０全体が、ポリ塩化ビニルのフィルム５０によってパッケージ化される。このとき、挿入孔４１は維持され、フィルム５０によってパッケージ化されても、挿入孔４１にユーザの手指が挿入可能にされている。また、発光モジュール２０（ＬＥＤ）における発光部は、表面に露出している。一方、圧電素子１０はフィルム５０によって封止されるが、ユーザに対して押圧部を明示できるよう、図３（ａ）に示すように、圧電素子１０が配置された位置に対応する箇所にシール５１を貼付することができる。そして、このような発光装置１００は、ユーザの手にフィットするように、本体部４０における挿入孔４１付近が折り曲げられた立体的な形状でフィルム５０によってパッケージ化される。なお、このようなパッケージ化は、例えば、圧電素子１０、発光モジュール２０、および導電線３０が配置された本体部４０をフィルム５０の金型にセットすることで、ポリ塩化ビニルと一体的に成形できる。
【００２６】
図３（ｂ）には、発光装置１００の使用態様が表される。上述したように、挿入孔４１にユーザの手指が挿入された状態において、発光モジュール２０が該ユーザの手の甲側に位置し、圧電素子１０が該ユーザの手の平側に位置する。そのため、ユーザが拍手の動作を行うと、拍手による外部圧力が圧電素子１０に負荷され、圧電体に歪みが生じる。そうすると、圧電効果により電圧が発生し、圧電素子１０を電源として発光モジュール２０が発光することになる。このような構成によれば、ユーザの拍手の動作による運動エネルギを電気エネルギに変換することで、電池等の別途の電源を備えることなく発光モジュール２０を発光させることができる。そのため、発光装置１００の半永久的な使用か可能となる。なお、発光モジュール２０は、ユーザの手の甲側に位置するため、ユーザの両手の掌が合わせられた状態においても、発光モジュール２０による発光が視認可能となる。
【００２７】
そして、このような発光装置１００によれば、ユーザの拍手の動作を光で表現できる、つまり、ユーザの感情を視覚によって認識され得るものとすることができる。そうすると、スポーツ競技やコンサート等の観戦、観覧において、ユーザは、声や拍手によって自身の感情を表現するとともに拍手の動作を光で表現することができ、応援により強い一体感を生み出すことができる。また、拍手の強さによって圧電体に生じる歪みが変化し圧電素子１０が発生する電圧も変化する。そして、圧電素子１０が発生する電圧に応じて発光モジュール２０の発光強度が変化する。そのため、ユーザは、拍手の強さによって表現する自身の感情の抑揚を、発光モジュール２０の発光強度によっても表現することができる。更に、本開示の発光装置は、上述したように、その配置構造により、簡易な構造ながら効果的にユーザの拍手の動作を光で表現可能にするものである。
【００２８】
以上に述べた発光装置１００によれば、ユーザの拍手の動作を光で表現可能な発光装置を簡易な構造で提供することができる。
【００２９】
＜第２実施形態＞
第２実施形態における発光装置について、図４に基づいて説明する。図４は、本実施形態における発光装置の概略構成を示す図である。なお、本実施形態の発光装置は、ワークショップ等でユーザにものづくり体験を提供するために用いられるものである。また、発光装置１００の本体部４０は、後述する一枚の紙シートによって形成される。ここで、図４（ａ）には、本実施形態に係る発光装置１００の本体部４０が、図４（ｂ）には、本体部４０に圧電素子１０、発光モジュール２０、および導電線３０が配置された状態が、図４（ｃ）には、本体部４０の挿入孔４１付近が折り返された状態が示される。
【００３０】
本実施形態に係る発光装置１００では、図４（ａ）に示すように、圧電素子１０を嵌め込むための爪部４２が、本体部４０に形成される。また、発光モジュール２０の端子を挿入するための穴部４３が、本体部４０に形成される。
【００３１】
そして、上記の図２で説明したように、圧電素子１０および発光モジュール２０の位置と対応させて導電線３０が配置され、そこにこれら部品が更に配置される。また、本実施形態に係る発光装置１００では、図４（ｂ）に示すように、一枚の紙シートによって形成された本体部４０に折り目線４４が設けられる。詳しくは、折り目線４４は、本体部４０の挿入孔４１付近が該本体部４０に配置された圧電素子１０に対して所定の角度を有して折り返されるように誘導するためのものである。なお、所定の角度とは、挿入孔４１にユーザの手指が挿入された状態において発光装置１００がユーザの手にフィットするような角度であって、例えば、４５°〜９０°である。そして、本実施形態の本体部４０には、山折りされる折り目線４４ａと、谷折りされる折り目線４４ｂとが形成される。そうすると、図４（ｃ）に示されるように、発光装置１００が、ユーザの手にフィットするように立体的な形状に形成されることになる。
【００３２】
以上に述べた発光装置１００は、一枚の紙シートによって形成された本体部４０に圧電素子１０、発光モジュール２０、および導電線３０を配置していき、本体部４０を折り目線４４に沿って折り返すだけで簡単に作成され得る。そうすると、例えば、子供向け工作のワークショップであってもその題材として採用することができ、参加した子供たちに、ものを作る楽しさを伝えることができる。また、このような発光装置１００を製作するワークショップを通して、ユーザは、運動エネルギが電気エネルギに変換される仕組みを体験することができる。
【００３３】
＜その他の変形例＞
上記の実施形態はあくまでも一例であって、本開示はその要旨を逸脱しない範囲内で適宜変更して実施しうる。本開示の発光装置は、ユーザの拍手の動作を光で表現可能とするものであるので、例えば、言葉のリズムに合わせて手を叩くと、そのリズムに合わせて発光装置が発光することになる。つまり、言葉のリズムを光で表現することが可能となる。そうすると、例えば、発光装置が発光する光を利用したコミュニケーションが可能となる。
【００３４】
また、本開示の発光装置をライトドローイングに用いることもできる。例えば、暗闇にされた空間において、手を叩きながら（発光装置に外部圧力を与えながら）動き回るユーザを長時間露光撮影することで、発光装置の光によるアートを生み出すことができる。
【符号の説明】
【００３５】
１０・・・・圧電素子
２０・・・・発光モジュール
３０・・・・導電線
４０・・・・本体部
４０ａ・・・第１端部
４０ｂ・・・第２端部
４１・・・・挿入孔
１００・・・発光装置
【図１】
0003230818.tif 000003
【図２】
0003230818.tif 000004
【図３】
0003230818.tif 000005
【図４】
0003230818.tif 000006